Podtech/llm-jp-corpus-v4-ja_patent huggingface dataset:
(57)【要約】【課題】  従来のブラジャーでは、個々人のニーズに合わせた細かいサイズ調節は出来なかった。これは、左右両カップ間の距離を調節することが出来ないか、出来たとしても数段階の調節に過ぎなかったためである。【解決手段】  ブラジャー前部、左右のカップ間に多段階の調節を可能とする間隔調節具を取り付けることにより、細かなサイズ調節を可能にし、また、左右のカップの引き寄せを可能にすることでバストアップ効果を付加する。【選択図】図１
2006037321.tif 000002
【特許請求の範囲】
【請求項１】
ブラジャーの左右両カップを、調整しながら中央に引き寄せることにより、個々人にあった装着感や整形、好みに応じた程度のバストアップを可能にするブラジャー。
【請求項２】
請求項１のブラジャーを実現するために、ブラジャー前部中央に取り付ける左右両カップ間の間隔調節具。
【発明の詳細な説明】
【技術分野】
【０００１】  本発明は、ブラジャーにおいて、個々人の好みに合わせた整形やバストアップ感や装着感を実現するための、左右カップ間の距離の多段階調節に関する。
【背景技術】
【０００２】  従来のブラジャーの左右カップ間の距離を調節する調節具には、距離の調節によって、装着感の向上を施したものがある。（例えば、特許文献１参照）
【特許文献１】    特開平１０−３７００５号  公報
【発明の開示】
【発明が解決しようとする課題】
【０００３】  以上に述べた従来の調節具では、左右カップ間の距離の細かな調節は不可能であり、また、バストアップ効果は見込めないものであった。【０００４】  本発明は、このような従来の調節具の問題点を解決し、また新たな機能を加えようとするものであり、ブラジャーの左右カップ間の距離を多段階に調節することで、装着感の向上とバストアップ感を達成したブラジャーを実現することを目的とするものである。
【課題を解決するための手段】
【０００５】  そして、本発明は上記目的を達成するために、ブラジャーの前面、左右カップ間にカップ間隔の調節具を設置することで、左右のカップを中央に多段階に調節しながら引き寄せることを可能としたブラジャーである。【０００６】  上記第１の課題解決手段による作用は次の通りである。すなわち、左右のカップ間の距離を多段階で調節できるため、個々人の装着感に合わせた間隔設定ができ、また間隔を極端に縮めることでバストアップ感の達成もできる。
【発明の効果】
【０００７】  上述した通り、本発明のブラジャーでは、個々人の装着感に合わせた左右カップ間の間隔設定とバストアップ感を達成したブラジャーを提供できる。【０００８】  また、引き寄せと引き寄せたブラジャーの開放を容易に行えるようにすることで、本発明の目的達成をより一層実現させる。
【発明を実施するための最良の形態】
【０００９】  以下、本発明の実施の形態を図１〜図３に基づいて説明する。【００１０】  図においては、１は左右のカップを引き寄せるためのハンドルであり、１を回すことで、１と接続された軸２が左右のカップにつながったベルト３を巻きつけ、左右のカップを引き寄せる。【００１１】  軸２と接続されたギア５と回転しないように四角形の軸８に通したギア６の噛み合わせにより引き寄せたベルト３が戻るのを防止する。【００１２】  バネ７によりギア６とギア５の噛み合わせが維持され、９を引くことでギア６がギア５からはずれ、軸２をとめるものがなくなり、ベルト３が開放される。
【図面の簡単な説明】
【００１３】
【図１】  本発明の実施形態を示すブラジャー
【図２】  同ブラジャー前部に付けられる間隔調整具の断面図
【図３】  同間隔調整具の外観図
【符号の説明】
【００１４】  １  ベルト巻きダイヤル
２  ベルト巻きつけ軸
３  ブラジャーカップ引き寄せベルト
４  間隔調整具本体
５  ベルト巻き戻り防止用回転ギア
６  ベルと巻き戻り防止用非回転ギア
７  バネ
８  ギア固定軸
９  ベルトリリース用つまみ
【図１】
2006037321.tif 000003
【図２】
2006037321.tif 000004
【図３】
2006037321.tif 000005
(57)【要約】【課題】  従来の介護用ズボン、パジャマではファスナーやウエスト調整、各部に患者に負担をかけるばかりか、オムツ交換など、介護者にも大きな負担をかけているという問題があった。【解決手段】  本発明は寝たきり状態患者、自立困難な要介護者や入院時のケア・オムツ交換などが、手間のかかる作業であったが肌着、外着用などでありまた、入院時の衣類として各部の開閉機能により、患者、看護者にとって、その負担を大きく軽減する物である。【選択図】  図１
2006037322.tif 000002
【特許請求の範囲】
【請求項１】
寝たきり状態、半身麻痺状態時の排便、俳尿、自分で困難な人の、患者、介護者の負担、ケアを大幅に軽減し容易にするズボン。
【請求項２】
ファスナーを最適な場所に取り付けることによってオムツ交換やケアを容易にし、また看護者に負担をかけず手早く作業しやすく又、入浴時においても簡単に脱ぎ穿きできる構造になっているズボン。
【請求項３】
従来のズボンと違い脚を通すことなく脱ぎ、穿けるズボンである。
【請求項４】
背部にゴムなどを入れない事により、寝たきりの患者の床ズレを防ぐズボンである。
【請求項５】
前部、側部にゴムを入れズボンのズレ落ちを防ぐズボンである。
【請求項６】
背部、股上、股下の部分に補強のため、当て布を施したズボンである。
【請求項７】
ファスナーの回りの布が切れやすいので、ズボンの裾を多く取りしっかりさせ擦り切れ  を防ぐズボン。
【請求項８】
図１の２と図２の２を掛けウエストの調節をするズボン。
【発明の詳細な説明】
【技術分野】
【０００１】  本発明はオムツ、ズボンの交換が容易に出来る点に関する。
【背景技術】
【０００２】  本来、寝たきり状態、半身不髄、下肢のケガ人、リハビリなどによるパジャマで生活している方、オムツをしている方などのズボンの脱ぎ剥ぎを簡単に出来る物もあるが、よりいっそう便利にした物である。
【発明の開示】
【発明が解決しようとする課題】
【０００３】図１の１の部分にゴムを入れない事により床ずれ、負担を軽減する。【０００４】  一人でズボンをはけない人、介護者が簡単に負担をかけずにオムツ交換や、確認が出来、従来の物と比べ容易にできる、上半身がふじゅうでなければ一人で脱ぎ剥ぎが容易です。【０００５】従来の介護用ズボン、パジャマではオムツなどの交換に大変な労力をようし、不便でしたが、すばやく簡単にする。【０００６】  従来介護用ズボンにはなく前方にファスナーを２本取り付ける事により患者のケア・おむつ交換を容易にした発明であり、また介護者にもの負担がかかっておりましたがその作業を簡単にした、構成になっている。
また図１の５と図１の７は特に負担がかかるため補強したズボン。【０００７】  本発明は図１の１のＳ部分にゴムを入れない事により寝たきり状態にある患者の負担を軽減し、腰に負担をかけず、床ずれなどを防ぎます。【０００８】  入浴後にはベッドにズボンを広げて置きその上にオムツを置き、患者を寝かせ手早く装着出来る。【０００９】  図１の５と図１の７は特に負荷がかかり図１の５には当て布図１の７は折り返し部を多くとり補強を施した、そして、すれきれなどを防ぐ。【００１０】  図１の４の生地、図２の４のファスナーの当て布によってファスナーの止め具が直接、肌に触れないように当て布を付けます。【００１１】  図２の２は図１の２とボタンをかけ、さらにずり落ちを防ぐ。【００１２】  図２の３は図１の６とオープンファスナーにより開閉する。ファスナー付の介護ズボンはありましたが、取り付け位置が適所ではなく、患者に負担をかけておりました。
【課題を解決するための手段】  従来のパジャマ、ズボンではズボンに足を通す必要がありましたが、本発明は脚を通す必要がなく寝たきり、半身不髄、下肢の治療などでも可能であり、介護、病人、けが人など幅広く着用できるものである。【００１３】  図１の６、図２の３によって、今まではオムツ取替えの時はズボンを下までおろしてズボンを取り替えなければダメでしたがこのズボンはオープンファスナーを、前部を開く用にし、前はたたんでオープンファスナー股の所に置きオムツを置き作業をしやすくしています、また前より付けましたので利用者の足、腰等に必要以上に負担をかけることなくスムーズに手早くオムツ交換ができ介護者にも腕、腰の負担が少なくなります。【００１４】  図１の６と図２の３のファスナー部の結合によって、日中は寝たきりの方でもリハビリのため腰・足は運動のため良くうごかしてズボン・オムツの交換交換できますが夜は、ぐっすりやすんでいる時オムツ交換で、眠りからさめて、その介護人は寝つかれない場合が多く夜中のオムツ交換はできるだけ、そっと手早く出来る用にデザインしました。【００１５】  今まではズボンと言うと下げてぬがせると言うイメージがあり交通事故での下半身での骨折、又年齢的に家の中で日常生活が不便で大腿骨・ひざ・足と部分的に治療等の時はズボンをはけない、又はズボンを切ったりと不便な点が多々ありましたがこのズボンはそんな不便ところを解決出来る物です。
【発明の効果】
【００１６】  寝たきり状態患者さんの床ずれや、皮膚が赤くなるのを防いでいます。
一日に何回もズボン穿いたり、脱いだりする人にとっては、このデザインはファスナーを適所に付け図１の６、図２の３上方に付けベットや布団に巻き込ませること無く体の下に巻き込む事を防ぐ、適所は横から５センチ位上方あたりに付け２本下げるだけでオムツ交換が出来、簡単になっています。
【発明を実施するための最良の形態】
【００１７】  寝たきり状態の方には看護人の手伝いが必要ですが、半身不髄の方、下半身不髄の方、下半身のケガの方には１人で脱ぎ剥ぎが可能です。【００１８】  また、オムツ交換が減り非常に経済的です。
その結果は多くの量が出ていない場合はファスナーを開けてすぐ取り出せる手軽さもあり、オムツの取り替えを嫌がる人にも、今までの様に大仕事で、介護する側にも一番の重労働を少しでも負担を減らし普通のパジャアマやズボンでなく容易に解決出来る。
【実施例】
【００１９】  眠りの浅い患者さんにとってもオムツの交換回数が減り看護者にも負担が減り経済的である。
患者さんの眠りを妨げない、などと今までにはない、利便性が特徴です。
【産業上の利用可能性】従来の製品とくらべ取り扱いが簡易で安価で提供できる。
【図面の簡単な説明】
【００２０】
【図１】本発明の実施形態を示す背部
【図２】同巻きズボンの前部
【符号の説明】
図１の１背部ゴムなし部分
図１の２背面部のループ、図２の２と結合させる
図１の３側面のゴム部、ウエスト調整をする
図１の４本発明の生地、寝具用、外着用によって活動範囲を広げる
図１の５おむつ交換のために負担がかかるためあて布をして補強する
図１の６オープンファスナー部開閉機能によりおむつ交換などを安易にする
図１の７裾の部分は負担がかかりほつれやすいので落ち返しを多く取り補強する
図２の１前面部にゴムをいれ床ずれなどを防ぐ
図２の２図１の２と結合するボタンウエスト調整ずり落ちを防ぐ。
図２の３オープンファスナー図１の６に合わせ、履かなくても着せる事が出きる
図２の４オープンファスナーの金具が直接肌に当て布を付け触れないようにする
【図１】
2006037322.tif 000003
【図２】
2006037322.tif 000004
(57)【要約】【課題】  溶融亜鉛メッキの耐食性を生かし、更に、地際の耐食性を向上させる方法を得る事。また、その方法で地際を防食した鉄製品を得る事。【解決手段】  最初に全体を溶融亜鉛メッキし、次ぎに地際の必要な範囲にサンドブラストをかけた後、そこに亜鉛を溶射で厚くつける。【特許請求の範囲】
【請求項１】
地中に一部分が埋設される鉄製品において、最初に溶融亜鉛メッキし、次ぎに地際の必要な範囲にサンドブラストをかけた後、そこに亜鉛を溶射で厚くつける事を特長とする防食法。
【請求項２】
最初に溶融亜鉛メッキし、次ぎに地際の必要な範囲にサンドブラストをかけた後、そこに亜鉛を溶射で厚くつけた事を特長とする鉄製品。
【発明の詳細な説明】
【技術分野】
【０００１】本発明は、鉄製品の表面処理に属する。
【背景技術】
【０００２】ガードレールの支柱は、地中に埋設される部分と地上に出た部分に分けられるが、その境目に近い部分（地際）が特に激しく腐食される。そのために、他の部分は十分使える状態なのに、取替える必要が生じ、多大の費用を要していた。【０００３】ガードレールの支柱以外でも同様な事態が生じているが、このような事が生じるのは、腐食環境が厳しいのに、支柱は全面一様な表面処理しかしていないからである。見方を変えれば、地際を重防食する上手い方法がなかったからである。
【発明の開示】
【発明が解決しようとする課題】
【０００４】溶融亜鉛メッキの耐食性を生かし、更に、地際の耐食性を向上させる方法を得る事。また、その方法で地際を防食した鉄製品を得る事。
【課題を解決するための手段】
【０００５】最初に全体を溶融亜鉛メッキし、次ぎに地際の必要な範囲にサンドブラストをかけた後、そこに亜鉛を溶射で厚くつける。
【発明の効果】
【０００６】本発明により地際から埋設部分の必要な範囲の耐食性が高まり、建造物の長寿命化ができる。
【発明を実施するための最良の形態】
【０００７】鋼管を例に説明する。鋼管を製品の形状寸法に加工後、全体を溶融亜鉛メッキする。これにより。表面から亜鉛層、亜鉛と鉄の合金層ができ、剥離しない耐食皮膜ができ、地中及び地上では十分な耐食性がある。【０００８】次ぎに、地際の耐食性の必要な範囲にサンドブラストをかけ、溶射がつきやすい下地を作り、亜鉛を溶射して厚くつける。この作業は、溶射しない部分をマスキングして、サンドブラストに続いて溶射をする事が多い。【０００９】また、埋設部分は腐食され易いので、地際から下の埋設する部分にこの処理を施す事が多い。更に、鋼管が短い場合は、地上部分だけを溶融亜鉛メッキし、地際から埋設部分にこの処理をする事もある。
(57)【要約】 【課題】  剣道袴のごとき袴の着用において、幼年や少年でも容易に、かつ確実に袴締めできる袴を提供することにある。【解決手段】  剣道袴のごとき袴にあって、ウエスト部の前面部より左右横方向にそれぞれ延出され、長さに長短のある締め帯に面ファスナーを、また、ウエスト部の背面部に、上記締め帯の面ファスナーにそれぞれ係止する面ファスナーが設けられてなるものである。【選択図】     図１
2006037293.tif 000002
【特許請求の範囲】
【請求項１】
剣道の袴のごとき袴にあって、ウエスト部の前面部より左右横方向にそれぞれ延出され、長さに長短のある締め帯に面ファスナーを、また、ウエスト部の背面部に、上記長短の締め帯の面ファスナーにそれぞれ係止する面ファスナーが設けられてなることを特徴とする袴。
【発明の詳細な説明】
【技術分野】
【０００１】
本発明は、例えば剣道袴のごとき袴の着用において、幼年や少年の袴締めを容易にする袴に関する。
【背景技術】
【０００２】
例えば剣道袴を着ける場合、ひもをうしろにまわして引き、そのひもを前で交差させ、またうしろにまわし、うしろで蝶々結びにより結ぶが、幼年や少年がひとりでこれらの手順を手際よく行うことは大変であるため、父兄が助けなければならない、といった不便さがあったものである。
【発明の開示】
【発明が解決しようとする課題】
【０００３】
本発明は、上記した実状に鑑みてなされたもので、剣道袴のごとき袴の着用において、幼年や少年でも容易に、かつ確実に袴締めできる袴を提供することをその目的とするものである。
【課題を解決するための手段】
【０００４】
本発明に係る袴は、剣道袴のごとき袴にあって、ウエスト部の前面部より左右横方向にそれぞれ延出され、長さに長短のある締め帯に面ファスナーを、また、ウエスト部の背面部に、上記長短の締め帯の面ファスナーにそれぞれ係止する面ファスナーが設けられてなるものである。
【発明の効果】
【０００５】
本発明に係る袴は、剣道袴のごとき袴の着用において、幼年や少年でも容易に、かつ確実に袴締めできる。
【発明を実施するための最良の形態】
【０００６】
本発明に係る袴によれば、例えば、剣道袴であれば、ウエスト部の前面部より左右横方向にそれぞれ延出され、長さに長短のある締め帯をそれぞれうしろにまわして締め、面ファスナーを、ウエスト部の背面部に設けられた面ファスナーにそれぞれ係止させれば、確実に袴締めできることとなる。
【実施例】
【０００７】
以下、本発明の袴を剣道袴に適用した実施例に基づき説明する。
図において、剣道袴１のウエスト部２の前面部３より左右横方向にそれぞれ延出され、長さに長短のある締め帯４，５の両面に面ファスナー（ループ）６，７を、また、長帯４の先端部裏面に小口面ファスナー（フック）８を設けるとともに、ウエスト部の背面部９の表面の適所に、上記締め帯の面ファスナー（ループ）６，７にそれぞれ係止する小口面ファスナー（フック）10，11，12，13が設けられている。
これにより、剣道袴を身に着ける場合に、まず、短帯５をうしろにまわし、面ファスナー（ループ）７を小口面ファスナー（フック）12，13に係止させ、ついで、長帯４をうしろにまわし、締めながら面ファスナー（ループ）６を小幅ファスナー（フック）10，11、そして小口面ファスナー（フック）８を短帯５の面ファスナー（ループ）７に係止させれば、確実に袴締めできることとなる。
尚、上記実施例においては本発明を剣道袴に適用したが、居合道袴、弓道袴、なぎなた用袴、卒業式などに着用する女子袴など、どのような袴であっても無論よい。また、上記実施例では、締め帯およびウエスト部背面部のファスナーについては、係止自在である限り、その種類、取り付け位置や範囲、取り付け部の数などは適宜に選択できることはいうまでもない。
【産業上の利用可能性】
【０００８】
剣道袴のごとき袴の着用において、大人は勿論のこと幼年や少年でも容易に、かつ確実に袴締めでき、非常に便利である。また、剣道の国際化に伴って、幼年や少年のみならず誰にも容易に袴締めできる袴として公認される可能性も秘め、武道の国際化に寄与するものである。
【図面の簡単な説明】
【０００９】
【図１】本発明に係る袴を剣道袴に適用した実施の一例を示す概略斜視図である。
【図２】本発明に係る袴を剣道袴に適用した実施の一例を示す概略要部斜視図である。
【符号の説明】
【００１０】
１  剣道袴
２  ウエスト部
３  ウエスト部前面部
４  締め帯（長帯）
５  本締め帯（短帯）
６  面ファスナー（ループ）
７  面ファスナー（ループ）
８  ウエスト部背面部
９  小口面ファスナー（フック）
10  小口面ファスナー（フック）
11     小口面ファスナー（フック）
12     小口面ファスナー（フック）
13     小口面ファスナー（フック）
【図１】
2006037293.tif 000003
【図２】
2006037293.tif 000004
(57)【要約】【課題】  鉄製品の新品製作にも、修理にも使え、それ自身が滑り止め効果のある表面を持ち、凹凸がつけられると共に耐久性のある滑り止め法を得る事、その方法で製造した製品を得る事。【解決手段】  鉄製品の表面に溶射をして、粗面にすると共に必要あれば凹凸または模様をつけ、その後、溶融亜鉛メッキをする。【選択図】図１
2006037696.tif 000002
【特許請求の範囲】
【請求項１】
鉄製品の表面に溶射をして、粗面にすると共に必要あれば凹凸または模様をつけ、その後、溶融亜鉛メッキをした事を特長とする滑り止め法。
【請求項２】
表面に溶射をして、粗面にすると共に必要あれば凹凸または模様をつけ、その後、溶融亜鉛メッキをした事を特長とする鉄製品。
【発明の詳細な説明】
【技術分野】
【０００１】本発明は、鉄製品の表面処理に属する。
【背景技術】
【０００２】マンホールのふた、グレーチング等の表面は滑り止め処理がされておらず、特に雨に濡れた場合滑り易かった。また、鉄製の階段は縞鋼板が使われるが、ステップの角は滑り易く、滑り止めテープを接着する事が多かった。【０００３】人がその上を通り滑り止めが必要な鉄製品は、一般に、鋳物製品は鋳造で、機械加工面や鉄板から作るものは機械加工かプレスで表面に凹凸をつける方法が採られている。これらの方法は、凹凸を大きくできるが、大掛かりになるために、新品を作る場合に適している。【０００４】鉄製品が使われると、人が通るために表面が磨耗して滑り易くなり、修理が必要になる。修理は滑り止め、錆び止め、及び、様々な寸法形状の製品に対応するために、滑り止め塗装や滑り止めテープが用いられている。しかし、凹凸がつけられないのと耐久性に問題があった。
【発明の開示】
【発明が解決しようとする課題】
【０００５】鉄製品の新品製作にも、修理にも使え、それ自身が滑り止め効果のある表面を持ち、凹凸がつけられると共に耐久性のある滑り止め法を得る事、その方法で製造した製品を得る事。
【課題を解決するための手段】
【０００６】鉄製品の表面に溶射をして、粗面にすると共に必要あれば凹凸または模様をつけ、その後、溶融亜鉛メッキをする。
【発明の効果】
【０００７】本発明の鉄表面の滑り止め法は、新品にも修理品にも使える実用性の高い方法である。この方法で得られる製品は、錆びず耐久性があり、社会の安全性と美観を高める。
【発明を実施するための最良の形態】
【０００８】マンホールのふた１は、鉄鋳物で作られ、表面に文字、マーク、模様などが鋳造で浮き鋳出しされている。浮き鋳出し２と窪み部分３は大きな凹凸となり、柔らかい靴底やタイヤには滑り止めの効果がある。浮き鋳出しの表面は鋳肌で粗面であり、これも滑り止めの効果がある。しかし、浮き鋳出しの表面は、人や車が踏み付けるので、やがて磨耗してつるつるの平面になり、硬い平らな靴底には滑り止めの効果がなくなる。【０００９】磨耗したマンホールのふたの修理は、次ぎのように行なう。表面をサンドブラスト、ショットブラストなどの方法で清浄にすると共に溶射が密着し易い面にする。その後、鉄を溶射する。溶射は一様にすると鋳肌より少し粗い面になり、溶射を斑にすれば緩い凹凸ができる。また、表面近くに網を置いて溶射をすれば網目状の模様と共に比較的大きな凹凸ができる。このようにしてできた粗面や凹凸が滑り止めをする。【００１０】次ぎに溶融亜鉛メッキをする。メッキ工程は新品のふたをするのと同じだが、溶融亜鉛への浸漬時間は、亜鉛による母材と溶射面の密着力の強化、溶射面の合金層を発達させて耐蝕性の向上、などのために少し長くなる。【００１１】以上のようにして、滑り止め性、耐蝕性、耐磨耗性のある表面が得られ修理は完了するが、この方法を、新品のふたに適用しても何ら差支えない。また、縞鋼板やグレーチングなど他の鉄製品にこの方法を適用して何ら差支えない。【００１２】溶射する材料は、母材が鉄であるから安価な鉄を用いるが、母材と溶融亜鉛メッキになじむ材料ならば、他の材料を用いてもよい。また、溶融亜鉛メッキは、耐蝕性を向上させる成分を含んだ溶融亜鉛メッキを用いてもよい。
【図面の簡単な説明】
【００１３】
【図１】マンホールのふた
【符号の説明】
【００１４】１：マンホールのふた  ２：浮き鋳出し  ３：窪み部分
【図１】
2006037696.tif 000003
(57)【要約】【課題】  シーリングの劣化、シーリングの剥離等でできるシーリングの隙間をとおして水が金属外壁の裏側に浸入するという問題があった。これは、従来のシーリングのバックアップ材には排水機能がないためである。【解決手段】  シーリングバックアップ材に透水性をもたせ、排水路を設け、シーリングの隙間から浸入した水を排水路にとおし、外に排出する形状とした。【選択図】図３
2006037691.tif 000002
【特許請求の範囲】
【請求項１】
シーリング用バックアップ材に透水性と排水機能をもたせ、金属外壁材のシーリング部分からの水の浸入に対応できる、シーリングバックアップ材。
【請求項２】
シーリングバックアップ材の透水パイプに台座をつけ、透水パイプをつたわる水を金属外壁材が重なる部分の隙間に侵入させない、防水タイプのシーリングバックアップ材。
【請求項３】
金属表面に窪みを設け、上記のシーリングバックアップ材の透水パイプに台座を設けた防水タイプのシーリングバックアップ材やシーリング材を敷設する際の目印とする。金属表面の窪みを深くすることで、透水断面積を大きくし、透水パイプをつたわる水量を増やすことができる。
【発明の詳細な説明】
【技術分野】
【０００１】  本発明は、シーリングバックアップ材を、隙間をもつプラスチックとしたことで透水性をもたせ、シーリングの隙間から浸入した水をシーリングバックアップ材のパイプ内にとおし、外に排出する形状となっている。
【背景技術】
【０００２】  従来のシーリングのバックアップ材は排水機能がなく、シーリングの劣化、シーリングの剥離等でできるシーリングの隙間をとおして浸入する水を排出することが不可能であった。
【発明の開示】
【発明が解決しようとする課題】
【０００３】  ジョイント部のシーリングの劣化、シーリングの剥離等でできるシーリングの隙間をとおして、水が浸入することを防ぐ。
【課題を解決するための手段】
【０００４】  水が浸入する隙間をふさぐように、シーリングバックアップ材として透水パイプをシーリングするへこみに埋め込み、シーリングの隙間をとおして水が浸入した場合に、水の排出路を設ける。【０００５】  第２の課題解決手段は、透水パイプをつたわる水を金属外壁材が重なる部分の隙間から中に侵入させないために、透水パイプに台座を設けた防水タイプのシーリングバックアップ材である。【０００６】  また、金属表面に窪みを設け、上記の透水パイプに台座を設けた防水タイプのシーリングバックアップ材やシーリング材を敷設する際の目印とする。金属表面の窪みを深くすることで、透水断面積を大きくし、透水パイプをつたわる水量を増やすことができる。
【発明の効果】
【０００７】  上述したように本発明のシーリングバックアップ材は、金属外壁材のシーリングをとおして浸入した水を排出することができ、外壁ジョイント部から外壁の裏側へ水が浸入することがなく、外壁の裏側に水を排出する構造を設ける必要がなくなる。【０００８】  透水パイプの防水タイプの台座は、透水パイプと金属外壁材の裏側部分との隔壁として機能し、外壁裏側に水が浸入することを防ぎ、さらに台座を使用することで、透水パイプを平坦に敷設でき、金属外壁材が重なる部分の凹凸に関係なく、シーリングを平坦に仕上げることができる。【０００９】  金属表面の窪みは、シーリングバックアップ材やシーリング材を敷設する際の目印となり、敷設時に埋め込む深さを採寸する必要がなくなる。また、シーリングするへこみが浅い等で透水パイプが細くなる場合に、金属表面の窪みを深くすることで、透水量を増やすことができる。
【発明を実施するための最良の形態】
【００１０】  本発明は、金属外壁材のジョイント部のシーリングの劣化や剥離等による外壁裏側への水の浸入を防止することを可能にしたシーリング用透水バックアップ材である。以下、本発明の実施の形態を図１と図３に基づいて説明する。【００１１】  図１の透水バックアップ材１を、図３の透水バックアップ材の台座５に接触させ支持する。図３において、シーリング材３は金属外壁材４と２面で接着する。シーリング材３と透水バックアップ材１が接着した場合、シーリング材３は３面で接着し、シーリング材３には３面から変形させる力が加わり、２面で接着する場合よりシーリングが剥離しやすい。シーリング材３と透水バックアップ材１の接着を防止するために、透水バックアップ材１のシーリング材３との接触面に、シーリング材３が接着しない物質である紙やポリエチレンシート等の非接着シート２を張り付けている。図３において、シーリング材３の隙間を通過した水が、透水バックアップ材１と壁との間を通過し、透水バックアップ材１の空洞が水の排出路となる。【００１２】  図３において、透水バックアップ材の台座５は透水バックアップ材１の奥に敷設されて、透水バックアップ材１と壁の裏側との隔壁として機能し、外壁裏側に水が浸入することを防ぎ、金属外壁材４が重なる部分の凹凸に関係なく、透水バックアップ材１を平坦に敷設でき、シーリングを平坦に仕上げることができる。透水バックアップ材の台座６の材質は金属外壁材４の隙間の変形に追従する伸縮性のあるスポンジまたはシーリングとする。【００１３】  図３において、透水バックアップ材の台座６を敷設するため、あらかじめ目印として金属表面に窪み６を設けておく。透水バックアップ材の台座５の埋め込む深さを採寸することなく、透水バックアップ材の台座５を平坦に敷設できる。透水バックアップ材１を平坦に敷設でき、シーリングを平坦に仕上げることができる。透水バックアップ材１の透水に加えて、金属表面の窪み６を深くすることで、透水断面積を大きくし、透水量を増やすことができる。
【図面の簡単な説明】
【００１４】
【図１】透水バックアップ材の２種類を示した断面図である。
【図２】透水バックアップ材の側面図である。
【図３】透水バックアップ材と台座が金属外壁材のジョイント部に納まり、シーリングした状態を示した断面図である。
【符号の説明】
【００１５】  １  透水バックアップ材
２  非接着シート
３  シーリング材
４  金属外壁材
５  透水バックアップ材の台座
６  金属表面の窪み
【図１】
2006037691.tif 000003
【図２】
2006037691.tif 000004
【図３】
2006037691.tif 000005
(57)【要約】【課題】    不規則な段差のある鉄道保線工事現場でも、レール吊上時のレール吊上機をより安全、確実に水平に設定できるようにする。【解決手段】    伸縮脚外筒（２）にピン差込穴（７）を開け、伸縮長さ調節用穴（６）を数個開けた伸縮脚内筒（４）を伸縮脚外筒（２）の中でスライドさせ適正な高さに調節し、ピン（８）を差し込んで設定する。【選択図】    図１
2006037693.tif 000002
【特許請求の範囲】
【請求項１】
チェーンブロック（１）を支える二本の脚、伸縮脚外筒（２）および固定脚筒（３）に伸縮脚内筒（４）を配し、ロック機構を取り付けた伸縮機能を持ったレール吊上機。
【発明の詳細な説明】
【技術分野】
【０００１】  本発明は、手有働の保線工事に用いられるレール吊上機の脚の伸縮機能に関する。
【背景技術】
【０００２】  レール吊上機を傾いた地面に設置する場合、水平に修正する必要があるが、従来のレール吊上機においてはチェーンブロックを支える二本の脚に伸縮機能が付いておらず、ベース板の下に木片等を入れて高さを調節をする必要がある。
【発明の開示】
【発明が解決しようとする課題】
【０００３】  レール吊上機は鉄道の保線工事に用いられるもので、傾斜、起伏の多い鉄道作業現場においてレール吊上機を水平に設置することが、安全や作業効率の上から肝心なのであるが、従来の技術によるレール吊上機には水平に設置するための調節機構がなく、ベース板の下に木片等を入れることによって調節しており、傾斜のきつい現場ではより多くの木片等を重ねて用いるため安定性が損なわれることがあり、またしばしば作業現場に木片等を持ってくることを忘れたり等、安全や作業効率の上から問題があった。【０００４】  本発明は、チェーンブロックを支える二本の支柱となる脚筒の片方もしくは両方に、脚筒の中でスライドできる伸縮脚内筒を配し、脚の長さを変えられる様にし、この長さを変えることで現場の傾斜や起伏に応じて、安全に効率よくチェーンブロックの水平調節が行えるレール吊上機の伸縮脚を得ることを目的としている。
【課題を解決するための手段】
【０００５】  上記目的を達成するために、本発明のレール吊上機においては、脚筒の末端にはベース板を取り付けず、脚筒の中に入れてスライドできるような外径の伸縮用内筒を配し、その内筒の末端にベース板を取り付け、必要な脚長の位置でその長さを保持できるよう、ロック機構を設けたものである。
【発明の効果】
【０００６】  地面の傾斜や起伏の大きさに応じて、伸縮脚内筒の伸縮長さを調節することによって、より安全に効率よくチェーンブロックを水平に設置することが出来る。【０００７】  レール吊上機を水平に設置するためベース板の下に入れる調節用の木片等を持ち歩く必要がなくなる。【０００８】  従来の技術によるレール吊上機はベース板の下に木片等を入れて高さを調節するため、木片等がずれたり外れたりする等、安定した設置状態を得られにくく安全や作業効率の上から問題があったが、本発明によるレール吊上機では長さ調節機構が本体と一体になっているため、確実で安定した高さ調節ができる。
【発明を実施するための最良の形態】
【０００９】  発明の実施の形態を実施例に基づき図面を参照して説明する。
【実施例】
【００１０】  図１において、チェーンブロック（１）の下部両端に固定脚筒（３）およびピン差込穴（７）を開けた伸縮脚外筒（２）を取り付ける。伸縮脚外筒（２）の中でスライドできる様な伸縮脚内筒（４）を配し、伸縮脚内筒（４）の側面には数個の伸縮長さ調節用穴（６）を開けたものである。傾斜に応じた長さに調節した内筒の伸縮長さ調節用穴（６）をピン差込穴（７）に合わせ、ピン（８）を差し込みロックさせて伸縮脚の長さを固定する。
【図面の簡単な説明】
【００１１】
【図１】  レール吊上機の全体図および使用状況を示した図である。
【符号の説明】
【００１２】          １  チェーンブロック
２  伸縮脚外筒
３  固定脚筒
４  伸縮脚内筒
５  ベース板
６  伸縮長さ調節用穴
７  ピン差込穴
８  ピン
９  レールキャッチ
１０  レール
【図１】
2006037693.tif 000003
(57)【要約】      （修正有）【課題】特に道路のアスファルト舖装やコンクリート舖装と路肩の構造物及び擁壁等のクラック箇所に土や埃そして雑草の種が入り込み、雑草が繁茂しようとする箇所を高温高圧湯で除去し（吹き飛ばす）、そのクラツクの箇所に「クラック防草シール」剤を充填し、雑草の防除をする。【解決手段】クラツク箇所に生えた雑草等を高温高圧湯で吹き飛ばし洗浄する事と、雑草の残存毛根の細胞を高温で破壊する。再び土や埃そして雑草の種子が入り込まないようシール剤を充填する、充填剤は極力化学薬品を使用せず、他の植物や小動物の生態系を守る他、温度差と膨張差そして劣化条件を加味したシール剤、即ち主材料に水性樹脂と粉末ゼオライトその他に発砲剤・着色剤等を配合し、特殊な方法で加工したもの。【選択図】図３
2006037699.tif 000002
【特許請求の範囲】
【請求項１】
構造物と舗装とのクラック部に繁茂した雑草を、高温と高圧水そしてゼオライトの砂を同時に吹き着け除去する工法。
（吹き飛ばす）
【請求項２】
構造物と舖装等のクラック部に雑草を防止するシール（充填剤）
【発明の詳細な説明】
【考案の詳細な説明】
【産業上の利用分野】
【０００１】本考案の利用分野として、従来雑草の繁茂防止及びこの考案に類する工法は例は皆無であった、即ち自然現象の一つとして無対策視されてれる状況で有り、この考案が開発される事により活気的な使途が考えられる。
【背景技術】
【０００２】従来の対策として人力による草取り（鎌）や簡易動力機による草刈り、又は除草剤による方法等の暫定時間目的や年周期目的にである。
【考案が解決しようとする課題点】
【０００３】考案の設定条件として、道路の場合、道路の縁石とアスファルト舖装又はコンクリート舗装とは工事直後は別として年月が経つにつれ膨張差や振動で溝や凹型の亀裂即ちクラックが発生する、そこに埃とか泥が流れ込み、加えて雑草の種が飛んで来てそれが発芽し繁茂することは勿論、それ等の根がアスファルト舗装等の路面にクラックを作ったり隆起させる課題点。以下類する課題点を列記する。
（１）人力による鎌等で草取りをする場合、能力の問題と根の一部が残る為再び草が繁茂する要因となる課題点。
（２）携帯動力機で刈り取る場合は根の部分が残り、（１）と同じ課題点がある。
（３）除草剤を使用する場合その薬剤が用水路に流れ込み強いては植物の生態系に支障がある他、自然環境を破壊する要因となる課題点。
【課題を解決する為の手段】
【０００４】（１）此等の課題を解決する手段として、先ず凹部亀裂部（クラック）に繁茂した草木やその根の部分、及び流れ込んだ土を完全に除去する目的から高温高圧水と同時にゼオライト砂を配合したもので吹き飛ばす。
（２）その亀裂部分に同考案の「クラック防草シール」（水性樹脂×ゼオライト粉末×発砲剤×着色剤を特殊な方法で練り合わせたピッチ状のシール）を樹脂圧入器具で充填する。
【作用】
【０００５】（１）高温高圧洗浄機（１３０°３００気圧）のノズル部分から熱水を凹部分に吹き付ける事により、草木の根は勿論土を吹き飛ばす、凹部の形状条件で万一毛根の一部分が残った場合にあっても高温の為根の細胞は破壊されるゼオライト砂は研磨力に勝れている事から、カビとか不純物を更に洗浄する。
（２）洗浄された凹部に「クラック防草シール」を樹脂圧入器具で充填する事により完全に雑草が制御出来る他下記の特性がある。
（ａ）この「クラック防草シール」は、気泡が有る事から弾力性収縮性に富み気温の変化に順応する特色の成果が得られる。
（ｂ）この「クラック防草シール」は天然ゼオライトを始め極力化学薬品等の使用を押さえた加工を駆使しているので自然環境への害は微弱である。
【考案の効果】
【０００６】本考案の「クラツク防草シート」は下記程の既存の工法に比べ全く新しい発想から開発されたもので、活気的な需要量が望まれると思う。
以下同考案の効果を列記する。
（１）既存の工法即ち人力でで雑草を刈り取っても暫定的な効果やそのシーズンのみの効果で有るのに比べ、この工法は一回施工することにより、当分の間（最小５年位）は雑草は繁茂しない。
（２）この工法を採用する事により、雑草防除の費用及びメンテナンスの費用が累計計算からも格段に節減出来る。
（３）交通量の多い道路等を例として、既存の工法の場合は交通規制や作業人夫の安全を計る意味から交通渋滞や一般の者にも障害となって居たが同工法を採用することにより多角の観点から改善が計られる。
▲４▼この「クラック防草シール」の他の使途として、コンクリート構造物やビルディング等のクラツク補修材としての効果は大である。
【図面の簡単な説明】
【図１】は考案の「クラック防草シール」を施工しようとする、雑草が繁茂している現況例の図である。
【図２】施工例の構造図である
【図３】構造図を拡大した図と、高温高圧出の湯水をノズル（イ）から放射し雑草は勿論土や埃を吹き飛ばす他クラック部を洗浄する図解図で有る。
【図４】は洗浄されたクラツク部に「クラック防草シール」を充填した図で図解で有る。
記号の説明
（イ）は高温高圧を放射するノズルである。
▲１▼は雑草である。
▲２▼は歩道である。
▲３▼は車道である。
▲４▼はコンクリート擁壁である。
▲５▼は歩車道ブロック（土木用語ガッタ）である。
▲６▼はアスファルト舗装である。
▲７▼は採石路盤で有ある。
▲８▼は歩道用ガードレールである。
▲９▼「クラック防草シート」である
【図１】
2006037699.tif 000003
【図２】
2006037699.tif 000004
【図３】
2006037699.tif 000005
【図４】
2006037699.tif 000006
(57)【要約】【課題】  雨天時における作業手段を提供する。【解決手段】  雨よけシート収納式本体を仮設材に取り付ける事により、容易に出し入れ可能な雨よけ装置である。【選択図】  図１
2006037697.tif 000002
【特許請求の範囲】
【請求項１】
仮設足場の最上部に取付ける事により雨天時等に、雨よけになる、収納式防水雨よけシート仮設部材
【発明の詳細な説明】
【技術分野】
【０００１】  本発明は、仮設足場を有する作業足場において雨天時の雨よけに関するものである。
【背景技術】
【０００２】  従来、雨よけ専用仮設部材に直接シートを張る方法が有った。
【発明の開示】
【発明が開発しようとする課題】
【０００３】  そのために、次のような問題点があった。
（イ）強風時に雨よけシートをいちいち撤去しなくてはならない。
（ロ）シートの張りが不十分なため、シートに雨水がたまった。
（ハ）シートのつなぎ目から雨水がもれたりした。
【課題を解決するための手段】
【０００４】  仮設部材の雨よけシートを収納出来るようにした。
又、本体と防水シートを合わせる事により、雨水もれをなくした。
【発明の効果】
【０００５】  強風時又は、晴天時にシートの収納が簡単に出来る。
【発明を実施するための最良の形態】
【０００６】  以下本発明の形態について説明する。
（イ）（７）（８）を枠組足場のサイズに合わせて（４）に取付ける。
（ロ）枠組足場の最上部に（７）（８）を差し込む。（セットする）
（７）（８）の長さが違うので、雨の勾配がとれる。（角度がつく）
（ハ）（１）の中にある（５）を（３）を回して引き出し、もう一方の（２）に引っ掛ける。
（二）（３）を使用し、出した時と逆の方向に回して（５）をピンと張る。
（ホ）本発明は以上の様な構成でこれを１つ１つ連結して、仮設足場に取り付け使用する。
【図面の簡単な説明】
【０００７】
【図１】本発明の斜視図
【図２】本発明の側面図
【図３】本発明の正面図
【図４】本発明の使用図
【符号の説明】
【０００８】  １  本体
２  防水シート受け部
３  ラチェット式巻き込み部芯棒
４  部材取り付け用穴
５  防水シート
６  防水シート差し込み部
７  仮設足場取り付け部材
８  仮設足場取り付け部材
【図１】
2006037697.tif 000003
【図２】
2006037697.tif 000004
【図３】
2006037697.tif 000005
【図４】
2006037697.tif 000006
(57)【要約】      （修正有）【課題】この発明は、土木工事や建築工事において鉄筋の結束作業中に、鉄筋結束線の束がばらばらにならなくするための鉄筋結束線束具を提供する。【解決手段】鉄筋結束用の結束線を束用の金輪で結束されているものを使用する時に、鉄筋の結束作業中に結束線が少なくなってくると、結束線の束が細くなり束用の金輪が外れても結束線の束がばらばらなり作業の支障とならないよう、筒１の横につまみ３を設け、そのつまみ３に線２の先端５を挿入して固定することを特徴とする鉄筋結束線束具。【選択図】  図１
2006037692.tif 000002
【特許請求の範囲】
【請求項１】
筒（１）の横に、線（２）を固定するためのつまみ（３）を設けた鉄筋結束線束具。
【発明の詳細な説明】
【発明の詳細な説明】
【技術分野】
【０００１】  この発明は、鉄筋の結束作業中に鉄筋結束線の束がばらばらにならない様にするための鉄筋結束線束具に関するものである。
【背景技術】
【０００２】  従来、鉄筋結束用の結束線は束用の金輪で結束されているものを使用しているが、鉄筋結束作業中に結束線が少なくなってくると、手で握る部分の結束線の束が細くなり束用の金輪がはずれて結束線の束がばらばらになってしまって作業の支障となっていた。
【発明が解決しようとする課題】
【０００３】  これは次のような欠点があった。
イ．鉄筋の結束線が少なくなってくると束用の金輪がはずれてしまって、鉄筋結束線の束がばらばらになってしまった。
ロ．束用の金輪がはずれて構造物の中に落ちてゴミとして清掃しなければならなかった。
本発明は、以上の欠点を解決するために発明されたものである。
【課題を解決するための手段】
【０００４】  筒（１）の横につまみ（３）を設ける。そして、つまみ（３）に線（２）の先端（５）を挿入して固定する。
本発明は、以上の構成よりなる鉄筋結束線束具である。
【発明を実施するための最良の形態】
【０００５】以下、本発明の実施の形態について説明する。
（イ）  筒（１）の横につまみ（３）を設ける。
（ロ）  つまみ（３）に線（２）の先端（５）を挿入して固定する。
本発明は、以上の構成よりなっている。
本発明を使用するときは、筒（１）の挿入口（４）の方から鉄筋結束線の束を挿入し、筒（１）で鉄筋結束線の束を束ねる。鉄筋結束作業時は、鉄筋結束線の束と線（２）を一緒に束ねて使用する。
【発明の効果】
【０００６】  本発明を使用することによって、鉄筋結束線の束がばらばらになる事なく鉄筋結束作業の効率を上げることが出来、鉄筋結束線を束ねている金輪が落ちてゴミとなる事もなくなる。
【図面の簡単な説明】
【図１】  本発明の斜視図
【図２】  本発明の分解斜視図
【図３】  本発明の使用状態を示す斜視図
【符号の説明】
１  筒
２  線
３  つまみ
４  挿入口
５  先端
【図１】
2006037692.tif 000003
【図２】
2006037692.tif 000004
【図３】
2006037692.tif 000005
(57)【要約】【課題】    水道水の節水対策に節水補助具を提供する。【解決手段】タイマーとＩＣ（半導体集積回路）と電磁弁を組み合わせた蛇口を形成し、これを節水補助具としたことを特徴とする。【選択図】  図１
2006037690.tif 000002
【特許請求の範囲】
【請求項１】
ＩＣ（半導体集積回路）と、タイマーと、電磁弁を組み合わせた蛇口で、水道管に取り付ける節水補助具。
【発明の詳細な説明】
【技術分野】
【０００１】本発明は、水道水を使う時に効率良く水を出す節水補助具に関するものである。
【背景技術】
【０００２】従来、野菜などを水道水で冷す場合、解凍をする場合など、水を出しっ放しにしている。
【発明の開示】
【発明が解決しようとする課題】
【０００３】水道水を効率良く使用する事ができる、節水補助器具を提供するものである。
【課題を解決するための手段】
【０００４】タイマーとＩＣ（半導体集積回路）と電磁弁を組み合わせた蛇口。
【発明を実施するための最良の形態】
【０００５】以下、本発明の実施の形態を説明する。
タイマーとＩＣ（半導体集積回路）と電磁弁を組み合わせた蛇口で、水道管に取り付けられる。
（使い方）
水道管に取り付け、使用目的に合わせて、月、日、出水時間、出水停止時間、繰り返す回数を自由に設定ができる。
［物を冷す場合］
例、（スイカ、トマト）５秒間出水し、１０秒間止め、また５秒間出水、１０秒間止める、これを繰り返す。冷えてきた頃には出水時間を短く、停止時間は長くする。
［荒熱を取る場合］
初め水を多めに出し徐々に少なくしていく。
［漬物などの塩出し、冷凍物の解凍］
一定の間隔で出水する。
尚、本発明の他に実施例として、水道管に代かえ、ゴムホースに取り付ける態様もまた可能である。
【図面の簡単な説明】
【０００６】
【図１】本発明の斜視図
【図２】電磁弁の透視図
【符号の説明】
【０００７】１  スタート、停止ボタン
２  設定ボタン
３  液晶画面と半導体集積回路
４  電池
５  電磁弁
６  水道管に取り付け口
７  従来の開閉装置
８  出水口
９  外カバー
１０  開閉ボール
１１  形状記憶バネ
１２  手動切り替えネジ
１３  電気コード
１４  水道管
１５  外カバー
【図１】
2006037690.tif 000003
【図２】
2006037690.tif 000004
(57)【要約】【課題】圧縮機構部を密閉容器に点溶接にて固定する構成において、溶接時の加熱の影響で溶接部分に歪を生じ、固定スクロール７が変形し固定スクロール７と旋回スクロール６の先端との隙間が広くなり、圧縮時の漏れが大きくなり圧縮機の効率を低下させたり、旋回スクロール６の先端が固定スクロール７に強く擦り付けられて摩耗し、信頼性が低下するという課題を有していた。【解決手段】圧縮機構部を密閉容器に溶接固定する際に、熱による変形を空孔で吸収し、変形が固定スクロールに伝わらないようにすることにより信頼性を向上させることができる。【選択図】図１
2006037797.tif 000002
【特許請求の範囲】
【請求項１】
密閉容器に電動機と、この電動機によって主軸を介して駆動される圧縮機構部を配し、前記圧縮機構部の固定スクロール部に前記密閉容器を点溶接にて固定する構成において、前記固定スクロールの溶接近傍に空孔を設けたスクロール圧縮機。
【発明の詳細な説明】
【技術分野】
【０００１】
本発明は、密閉容器内に圧縮機構が溶接固定されるスクロール圧縮機に関するものである。
【背景技術】
【０００２】
従来のスクロール圧縮機は例えば特許文献１に示す様に、密閉容器と圧縮機構部とが点溶接により固定されていた。図３は従来のスクロール圧縮機の断面図、図４は図３におけるＢ−Ｂ断面矢視図である。
【０００３】
図において、１は密閉容器、２は電動機、３は圧縮機構部であり、主軸４を介して駆動される。圧縮機構部３は、軸受５と、旋回スクロール６と、固定スクロール７より構成されていた。
【０００４】
軸受５が密閉容器１に溶接され、圧縮機構部３が固定されている。
【特許文献１】特開平０５−０７１４７６号公報
【発明の開示】
【発明が解決しようとする課題】
【０００５】
しかしながら、前記従来の構成では、軸受５に溶接固定されていたが、溶接時の加熱の影響で溶接部分に歪を生じ、固定スクロール７が変形し固定スクロール７と旋回スクロール６の先端との隙間が広くなり、圧縮時の漏れが大きくなり圧縮機の効率を低下させたり、旋回スクロール６の先端が固定スクロール７に強く擦り付けられて摩耗し、信頼性が低下する原因となっていた。
【課題を解決するための手段】
【０００６】
前記従来の課題を解決するために、本発明は前記圧縮機構部を密閉容器に溶接固定する際に、熱による変形を空孔で吸収し、変形が固定スクロールに伝わらないようにしたものである。
【発明の効果】
【０００７】
本発明は、前記従来の課題を解決するもので、圧縮機構部の歪を低減し、信頼性を向上させ、長寿命化を図り、さらに各部品間の隙間寸法を小さくすることができるため、効率の高いスクロール圧縮機をを提供することを目的とする。
【発明を実施するための最良の形態】
【０００８】
本発明は、圧縮機構部の固定スクロール部に密閉容器を点溶接にて固定する場合、固定スクロールの溶接近傍に空孔を設けることにより、溶接歪を低減することができる。
【０００９】
（実施の形態１）
図１は、本発明のスクロール圧縮機の固定スクロール断面図、図２は図１におけるＡ−Ａ断面矢視図である。本部品を使用した構成は以下の通りである。密閉容器１に電動機２と、この電動機２によって主軸４を介して駆動される圧縮機構部３を配し、固定スクロール８をその外周部にて密閉容器１にて点溶接にて固定し、固定スクロール８の溶接近傍に空孔９を設けた。
【００１０】
本構成により、固定スクロール８を溶接した場合、固定スクロール８に発生する変形を吸収することができるため、歪を低減することができる。
【産業上の利用可能性】
【００１１】
本発明は、各部品間の隙間寸法を小さくすることができるため圧縮中の漏れの低減が図れ効率が向上するため、スクロール圧縮機に限らず、ロータリー圧縮機等にも適用できる。
【図面の簡単な説明】
【００１２】
【図１】本発明の実施の形態におけるスクロール圧縮機を示す断面図
【図２】図１におけるＡ−Ａ断面矢視図
【図３】従来のスクロール圧縮機を示す断面図
【図４】図３におけるＢ−Ｂ断面矢視図
【符号の説明】
【００１３】
１  密閉容器
２  電動機
３  圧縮機構部
４  主軸
５  軸受
６  旋回スクロール
７  従来の固定スクロール
８  本発明の固定スクロール
９  空孔
【図１】
2006037797.tif 000003
【図２】
2006037797.tif 000004
【図３】
2006037797.tif 000005
【図４】
2006037797.tif 000006
(57)【要約】【課題】    従来の障子戸は障子紙の張り替えに糊、アイロン刷毛などの道具が必要不可欠であり、仕上げるのに労力と時間が掛かり、綺麗に仕上げる為には熟練が必要だった。【解決手段】    糊、アイロン、刷毛等の道具も使わず、手間と時間も掛けずに短時間で簡単に障子紙の張り替えが出来るように、障子紙を挟むだけの方式にしました。これにより障子紙さえあれば障子戸の張り替えは簡単に完了するようになり、時間も労力も短縮できる。【選択図】  図１
2006037701.tif 000002
【特許請求の範囲】
【請求項１】
障子紙の張り替えを、糊、アイロン、刷毛等の道具を使わずに、また、手間と時間も掛けずに短時間で簡単に障子紙の張り替えが出来るように、障子紙を挟むだけの方式にしました。これにより障子紙さえあれば障子戸の張り替えは簡単に完了するようになり、時間も手間も短縮できる。
【発明の詳細な説明】
【技術分野】
【０００１】    この発明は、障子戸を糊やアイロン等を使わずに早くて簡単に障子紙の張り替えが完了する障子戸に関するものです。
【背景技術】
【０００２】    従来の障子戸は、障子紙を貼るのに糊を使って障子戸に固定して仕上げてきました。また、障子紙を剥がすときも時間と手間が掛かっていました。糊が少ないと剥がれてきたり、破れた場合、また張り替えるのは面倒で大変でした。
【発明の開示】
【発明が解決しようとする課題】
【０００３】    以上に述べた従来の障子戸は、障子を貼るのも剥がすのも糊やアイロン、刷毛、等の道具が必要不可欠で、また、手間と時間が掛かり綺麗に仕上げる為には熟練が必要だった。
【課題を解決するための手段】
【０００４】  そこで、この発明は、従来のような糊やアイロン、刷毛、等の道具を使わずに、また、手間と時間も掛けずに、すぐに障子紙の張り替えが出来るように、障子紙を挟むだけで障子戸の張り替えが完了する方式にしました。簡単で楽。
【発明の効果】
【０００５】    これにより障子の張り替えは、道具を使わずに簡単に短時間で完了することが出来ます。障子紙を挟むだけなので、破れても簡単にすぐに張り替えが出来る。簡単に出来るので、沢山あっても常に美しく保つことが容易です。
【発明を実施するための最良の形態】
【０００６】    この発明の実施の形態を図１〜図３に基づいて説明します。
【実施例】
【０００７】    図１，この網戸は、外枠２と内枠１から構成されていて、２は、内側が空洞になっていて１がスッポリ入る構造になっています。【０００８】    図２，これは外枠２に内枠１を入れた正面完成図です。【０００９】    図２，１は、３と４の間に障子紙を入れて重ね合わせたもので、３と４の障子紙と接触する面は、振動による障子紙のズレを防止する為に全面に弾力性のある物質（コルク，ゴム，ｅｔｃ等々）が貼ってある。【００１０】    また、要所要所には、磁石を付けて、更に安定させています。【００１１】    それから、更に、１の４隅は、しっかりとネジで固定ができます。
【産業上の利用可能性】
【００１２】    日本では多くの家庭で障子戸が使用されていて、障子戸が沢山ある家庭でも障子紙の張り替えが簡単で楽に出来るので、とても喜ばれると思います。
【図面の簡単な説明】
【００１３】
【図１】  内枠１と外枠２の正面図
【図２】  外枠２に内枠１を入れた正面完成図
【図３】  １は、３と４を重ねたもので、３と４の正面図
【符号の説明】
【００１４】  １  障子紙を入れる内枠
２  １を入れる外枠
３  １を構成する枠の１つ
４  １を構成する枠の１つ
【図１】
2006037701.tif 000003
【図２】
2006037701.tif 000004
【図３】
2006037701.tif 000005